(57)【要約】【課題】後席専用空調装置のコントローラの内容を表示する表示器の視認性を向上させた車両用空調装置を提供することを目的とする。【解決手段】  後席空調ユニット１７を有する車両用空調装置１であって、後席空調ユニット１７の動作を制御するコントローラ１９が、２列席９および３列席１１側の天井に幅方向に沿う軸線回りに回動可能に取り付けられていることを特徴とする。【選択図】      図１
2007203997.tif 000002
【特許請求の範囲】
【請求項１】
後席専用空調装置を有する車両用空調装置であって、
前記後席専用空調装置の動作を制御するコントローラの内容を表示する表示部が、後席側の天井に幅方向に沿う軸線回りに回動可能に取り付けられていることを特徴とする車両用空調装置。
【請求項２】
前記表示部の回動は、少なくとも運転席で行えるように構成されていることを特徴とする請求項１に記載の車両用空調装置。
【請求項３】
前記表示部は、その回転中心が前端部分に位置していることを特徴とする請求項１または請求項２に記載の車両用空調装置。
【請求項４】
前記表示部は、コントローラであることを特徴とする請求項１から請求項３のいずれかに記載の車両用空調装置。
【請求項５】
前記後席は複数列で構成され、
前記表示部は前記後席の前後方向における中間位置に設置されていることを特徴とする請求項４に記載の車両用空調装置。
【請求項６】
前記表示部の回転中心は、前後方向の略中間位置とされていることを特徴とする請求項５に記載の車両用空調装置。
【発明の詳細な説明】
【技術分野】
【０００１】
本発明は、後席専用空調装置を有する車両用空調装置に関するものである。
【背景技術】
【０００２】
後席専用空調装置は、一般に、運転席でオンオフされ、後席に空調状態を制御するコントローラが備えられている。運転席で操作する場合に後席での状況を確認することが必要となる。
後席専用空調装置の空調状態を運転席からも見えるようにするものとして、例えば、特許文献１に示されるものが提案されている。
【０００３】
【特許文献１】特開昭６３−１７３７１３号公報
【発明の開示】
【発明が解決しようとする課題】
【０００４】
しかしながら、特許文献１に示されるものは表示器の面が車両の進行方向に沿っているので、運転席からバックミラーで見る場合、見づらいという問題があった。
また、運転者が振り返って見るのは、安全上で問題がある。
【０００５】
本発明は、上記問題点に鑑み、後席専用空調装置のコントローラの内容を表示する表示器の視認性を向上させた車両用空調装置を提供することを目的とする。
【課題を解決するための手段】
【０００６】
上記課題を解決するために、本発明は以下の手段を採用する。
すなわち、本発明にかかる車両用空調装置は、後席専用空調装置を有する車両用空調装置であって、前記後席専用空調装置の動作を制御するコントローラの内容を表示する表示部が、後席側の天井に幅方向に沿う軸線回りに回動可能に取り付けられていることを特徴とする。
【０００７】
このように、後席専用空調装置の動作を制御するコントローラの内容を表示する表示部が、後席側の天井に幅方向に沿う軸線回りに回動可能に取り付けられているので、表示部を車室内側に回動させれば、表示部は車両の幅方向に延在するように位置する。
表示部が車両の幅方向に延在するように位置すると、表示部は運転席のバックミラーに正面から対向するので、運転席からの視認性を向上させることができる。
また、表示部を天井側に位置するようにすれば、バックミラーによる後方視界への悪影響を防止することができる。
【０００８】
また、上記発明では、前記表示部の回動は、少なくとも運転席で行えるように構成されていることが好適である。
このようにすると、運転者は必要な時にのみ表示部を車室内へ回動させることができ、通常はバックミラーによる後方視界を確保することができる。
【０００９】
また、本発明にかかるは車両用空調装置では、前記表示部は、その回転中心が前端部分に位置していることを特徴とする。
【００１０】
このように、表示部はその回転中心が前端部分に位置しているので、表示部の略全面を車室内への突出させることができる。
表示部の略全面を車室内への突出できると、視認できる範囲が多くなるので視認性を一層向上させることができる。
【００１１】
また、本発明にかかるは車両用空調装置では、前記表示部は、コントローラであることを特徴とする。
【００１２】
このように、表示部はコントローラであるので、コントローラそのものを直接視認することができる。また、視認のために別途の構成を要さないので、安価とすることができる。
【００１３】
また、上記発明では、前記後席は複数列で構成され、前記表示部は前記後席の前後方向における中間位置に設置されていることが好適である。
このようにすれば、複数列の後席のいずれからでもコントローラである表示部を視認できるし、それを操作することができる。
【００１４】
本発明にかかるは車両用空調装置では、前記表示部の回転中心は、前後方向の略中間位置とされていることを特徴とする。
【００１５】
このように、表示部の回転中心は前後方向の略中間位置とされているので、表示部が後方を向くようにも回転させることができる。このため、表示器の後側にいる乗員でも表示器を視認しながら操作することができる。
【発明の効果】
【００１６】
本発明によれば、後席専用空調装置の動作を制御するコントローラの内容を表示する表示部が、後席側の天井に幅方向に沿う軸線回りに回動可能に取り付けられているので、運転席からの視認性を向上させることができる。
【発明を実施するための最良の形態】
【００１７】
以下、本発明の一実施形態について、図を参照して説明する。
本実施形態にかかる車両空調装置１は、３列シートのミニバン３に適用するものである。図１は、ミニバン３の概略構成を示す縦断面図である。
ミニバン３の車室５内には、前席（運転席）７と、２列目席（後席）９と、３列目席（後席）１１と、バックミラー１３とが備えられている。
【００１８】
車両空調装置１には、前席用空調ユニット１５と、後席用空調ユニット（後席専用空調装置）１７と、後席用コントローラ（表示部、コントローラ）１９と、図示しない前席用コントローラと、図示しない吹出部とが備えられている。
前席用コントローラは、運転席７の近くに設置され、前席用空調ユニット１５および後席用空調ユニット１７の投入（オン）、停止（オフ）を行なうスイッチも設けられている。
吹出部は、前席用空調ユニット１５および後席用空調ユニット１７からの冷気あるいは暖気等を車室５内へ吹出すところであり、所要の箇所に備えられている。
【００１９】
後席用コントローラ１９は、後席用空調ユニット１７の動作を制御するものである。
天井２１における幅方向略中央部で、２列目席９の後側の位置に保管部２３が設けられている。保管部２３の下部に、後席用コントローラ１９を取付ける保管空間２４が設けられている。
後席用コントローラ１９には、略直方体形状をした本体２５と、取付軸２７と、モータ２９とが備えられている。（図２、図３参照）
【００２０】
本体２５は、略直方体形状をし、格納状態で下面となる作動面３１を備えている。
取付軸２７は、本体２５の前端部分の側面に幅方向に延在するように設けられている。取付軸２７は保管部２３に回動自在に支持されており、これによって本体２５はこの取付軸２７を中心として揺動自在とされている。
モータ２９は、図示しない減速機等を経由して取付軸２７を回動させる。モータ２９は運転者が操作できるように構成されている。
【００２１】
本体２５は、モータ２９の作動によって作業面３１が保管部２３の下面と略一致する保管位置Ａと下方に揺動されて作業面３１が前方に向く突出位置Ｂとの間を揺動するように構成されている。
本体２５は、モータ２９を用いて遠隔操作によって突出させるようにされているが、例えば、ノッチあるいはダンパ等を用いて手動で突出するように構成してもよい。
【００２２】
作業面３１には、ファン強度設定スイッチ３３と温度調節スイッチ３５とが設けられている。
作業面３１の構成について、図４〜図６にその一例を示している。
図４に示されるものは、ファン強度設定スイッチ３３および温度調節スイッチ３５がともにダイアル型スイッチで構成されている。ダイアル型スイッチおよびポインタを大きくすることによって視認性を向上させることができる。
【００２３】
図５に示されるものは、ファン強度設定スイッチ３３および温度調節スイッチ３５がともにスライド型スイッチで構成されている。スライダ４１の位置が分かり易く視認性は良好である。
図６に示されるものは、ファン強度設定スイッチ３３がボタン型スイッチ４１とされ、温度調節スイッチ３５がスライド型スイッチで構成されている。
ファン強度設定スイッチ３３は、切換がステップ式とされているので、ボタン型スイッチ４１とした方が視認性を向上できる。
なお、ボタン型スイッチ４１は、それ自体が光るようにすると、一層視認性を向上できる。
【００２４】
以上、説明した本実施形態にかかる車両用空調装置１の動作について説明する。
前席用空調ユニット１５および後席用空調ユニット１７は、運転者によってオンオフされる。
それらの空調条件は前席用コントローラあるいは後席用コントローラ１９によって調節され、前席用コントローラは運転者（前席７乗客）が、後席用コントローラ１９は２列目席９あるいは３列目席１１の乗客が設定する。
【００２５】
運転者が前席用空調ユニット１５あるいは後席用空調ユニット１７を作動させる場合、空調条件が適当な条件となっているかを確認して行なうのが通常である。
後席用コントローラ１９は、通常は、運転者のバックミラー１３による後方視界の妨げとならないように格納位置Ａに格納され、作業面３１は下方に向けられている。すなわち、作業面３１は運転者が見ることができない状態とされている。
運転者は、後席用空調ユニット１７を作動させる場合、次のようにして後席用空調ユニット１７の空調設定条件を確認する。
【００２６】
モータ２９を作動させて取付軸２７を回転させ、本体２５を下方に揺動させ、突出位置Ｂに位置させる。
これにより、作業面３１は、車室５の幅方向略中央部で前後方向に対して交差するように位置することとなる。
このように、作業面３１が前後方向に対して交差するように位置すると、作業面３１はバックミラー１３の鏡面と対向することとなるので、運転者はバックミラー１３によって作業面３１をよく見ることができる。
また、取付軸２７が、本体２５の前端部に取り付けられているので、作業面３１の全面が車室５内に突出することになり、作業面３１の視認性を一層向上させることができる。
【００２７】
運転者は、作業面３１における後席用空調ユニット１７の空調設定条件を見て、適当と判断すると、スイッチをオンして後席用空調ユニット１７の運転を開始する。
不適当の場合には、設定条件を遠隔操作で、または２列目席９あるいは３列目席１１の乗客が手動で設定し直して後、スイッチをオンして後席用空調ユニット１７の運転を開始する。
これにより、例えば、夜間と昼間とで空調の設定が異なるような場合に、予期しない温度の空気が吹出部から吹き出されるのを防止することができる。
【００２８】
その後、運転者はモータ２９を反対方向に作動させ、本体２５を突出位置Ｂから格納位置Ａに移動させる。
これにより、バックミラー１３による後方視界を確保することができる。
また、作業面３１は２列目席９の後側上方にあるので、２列目席９および３列目席１１の乗客が、それを見て必要に応じ空調の設定を変更することができる。
【００２９】
なお、本実施形態では、後席用コントローラ１９を天井２１に揺動可能に取り付けているが、本発明はこれに限定されるものではない。
例えば、車室の下部に後席用コントローラ１９が設けられている場合、その上方の天井２１に鏡を揺動可能に設置し、この鏡に写る後席用コントローラ１９の作業面３１の像をバックミラー１３で見るようにしてもよい。
【００３０】
また、本実施形態では、取付軸２７が後席用コントローラ１９の前端部に取り付けられているが、本発明はこれに限定されるものではない。
例えば、図７〜図９に示されるように、後席用コントローラ４３の前後方向の略中間位置に取付軸４７を取り付けるようにしてもよい。
後席用コントローラ４３は、かまぼこ型とされ、保管部２３に設けられた半円筒形状の保管空間４５内に配置されている。取付軸４７は、後席用コントローラ４３の前後方向の略中間位置にミニバン３の幅方向に延在するように取り付けられている。
【００３１】
この後席用コントローラ４３は、図８に示されるように作業面３１が前方を向くようにも、また、図９に示されるように作業面３１が後方を向くようにも位置させることができる。
このように、作業面３１が後方を向くようにも位置させると、３列目席１１の乗客が作業面３１を見易くなり、後席用空調ユニット１７の設定を変更する作業を簡単に行うことができる。
なお、取付軸２７，４７の取付位置は、作業面３１の構成に応じて適宜な前後方向位置とすることができる。
【図面の簡単な説明】
【００３２】
【図１】本発明の一実施形態にかかる車両用空調装置を搭載したミニバンの縦断面図である。
【図２】本発明の一実施形態にかかる後席用コントローラの取付状態を示す側面図である。
【図３】本発明の一実施形態にかかる後席用コントローラを示す斜視図である。
【図４】本発明の一実施形態にかかる作業面を示す平面図である。
【図５】本発明の一実施形態にかかる作業面の別の実施形態を示す平面図である。
【図６】本発明の一実施形態にかかる作業面のさらに別の実施形態を示す平面図である。
【図７】本発明の一実施形態にかかる後席用コントローラの別の実施形態の取付状態を示す側面図である。
【図８】図７の後席用コントローラの移動状態を示す側面図である。
【図９】図７の後席用コントローラの移動状態を示す側面図である。
【符号の説明】
【００３３】
１  車両用空調装置
９  ２列目席
１１  ３列目席
１７  後席用空調ユニット
１９  後席用コントローラ
２１  天井
２７  取付軸
４３  後席用コントローラ
４７  取付軸
【図１】
2007203997.tif 000003
【図２】
2007203997.tif 000004
【図３】
2007203997.tif 000005
【図４】
2007203997.tif 000006
【図５】
2007203997.tif 000007
【図６】
2007203997.tif 000008
【図７】
2007203997.tif 000009
【図８】
2007203997.tif 000010
【図９】
2007203997.tif 000011